【手続補正書】
【提出日】平成17年8月17日(2005.8.17)
【手続補正１】
【補正対象書類名】明細書
【補正対象項目名】特許請求の範囲
【補正方法】変更
【補正の内容】
【特許請求の範囲】
【請求項１】
画像が記録されたシート状の記録材料を装置本体の出口から搬送力により押し出し、下方に配置されたバケットに落下させる画像記録装置において、
前記装置本体の出口と前記バケットとの間に、前記記録材料の先端側を受けて一時停止させ前記記録材料の後端側から前記バケットへ落下させる受部材を配置し、
前記受部材は、ガイド板と、このガイド板を覆う可撓性シートからなり、前記可撓性シートが前記受部材の底部を凹曲面部に形成すると共に、前記ガイド板の上部より上方へ突出する延出部を形成することを特徴とする画像記録装置。
【請求項２】
前記受部材は、板状であり、この受部材の底部側を前記装置本体の側壁に接触させて斜め上方に傾斜させて配置したことを特徴とする請求項１に記載の画像記録装置。
【請求項３】
前記受部材の傾斜角度が、鉛直方向に対して３０°〜７５°であることを特徴とする請求項２に記載の画像記録装置。
【請求項４】
前記ガイド板の長さは、最短の前記記録材料の長さの半分未満であることを特徴とする請求項１乃至請求項3のいずれか１項に記載の画像記録装置。
【請求項５】
前記受部材の底部と前記装置本体の出口との距離が、最短の前記記録材料より短いことを特徴とする請求項１乃至請求項4のいずれか１項に記載の画像記録装置。
【請求項６】
前記受部材は、前記バケットに備えることを特徴とする請求項１乃至請求項5のいずれか１項に記載の画像記録装置。
【請求項７】
前記受部材は、前記装置本体の側壁に備えることを特徴とする請求項１乃至請求項5のいずれか１項に記載の画像記録装置。
【請求項８】
前記受部材と前記装置本体の出口との間に、落下する前記記録材料の落下方向を変化させる規制部材を配置したことを特徴とする請求項１乃至請求項7のいずれか１項に記載の画像記録装置。
【請求項９】
前記バケットの前記受部材の上部開放端に対向する壁が、前記受部材の上部開放端より上方に位置することを特徴とする請求項１乃至請求項8のいずれか１項に記載の画像記録装置。
【請求項１０】
前記バケットを前記装置本体の側壁に備えることを特徴とする請求項１乃至請求項9のいずれか１項に記載の画像記録装置。
【請求項１１】
前記記録材料の厚さが、７０μｍ〜２００μｍであることを特徴とする請求項１乃至請求項１0のいずれか１項に記載の画像記録装置。
【請求項１２】
前記記録材料は、画像記録面を上側にして搬送落下することを特徴とする請求項１乃至請求項１1のいずれか１項に記載の画像記録装置。
【手続補正２】
【補正対象書類名】明細書
【補正対象項目名】０００７
【補正方法】変更
【補正の内容】
【０００７】
請求項１に記載の発明は、画像が記録されたシート状の記録材料を装置本体の出
口から搬送力により押し出し、下方に配置されたバケットに落下させる画像記録装置において、
前記装置本体の出口と前記バケットとの間に、前記記録材料の先端側を受けて一時停止させ前記記録材料の後端側から前記バケットへ落下させる受部材を配置し、
前記受部材は、ガイド板と、このガイド板を覆う可撓性シートからなり、前記可撓性シ
ートが前記受部材の底部を凹曲面部に形成すると共に、前記ガイド板の上部より上方へ突出する延出部を形成することを特徴とする画像記録装置である。
【手続補正３】
【補正対象書類名】明細書
【補正対象項目名】０００８
【補正方法】変更
【補正の内容】
【０００８】
この請求項１に記載の発明によれば、記録材料の先端側を受けて一時停止させ記
録材料の後端側からバケットへ落下させることで、記録材料が装置本体の出口からの落下の高さが低くなり、記録材料が折れたり、傷が付いたりすることがなく、バケット内に整列して集めることが可能である。また、可撓性シートには弾力性があり、記録材料を傷付けることなく円滑に後端側からバケットへ落下させることができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
請求項4に記載の発明は、前記ガイド板の長さは、最短の前記記録材料の長さの半分未満であることを特徴とする請求項１乃至請求項3のいずれか１項に記載の画像記録装置である。
【手続補正９】
【補正対象書類名】明細書
【補正対象項目名】００１８
【補正方法】変更
【補正の内容】
【００１８】
この請求項4に記載の発明によれば、ガイド板の長さが最短の記録材料の長さの半分未満であることで、最短長さの記録材料においても記録材料の中心位置がガイド板の外側にあるため記録材料の先端側が受部材に残留することなくバケットへ落下させることができる。
【手続補正１０】
【補正対象書類名】明細書
【補正対象項目名】００１９
【補正方法】変更
【補正の内容】
【００１９】
請求項5に記載の発明は、前記受部材の底部と前記装置本体の出口との距離が、最短の前記記録材料より短いことを特徴とする請求項１乃至請求項4のいずれか１項に記載の画像記録装置である。
【手続補正１１】
【補正対象書類名】明細書
【補正対象項目名】００２０
【補正方法】変更
【補正の内容】
【００２０】
この請求項5に記載の発明によれば、受部材の底部と装置本体の出口との距離が最短の記録材料より短いことで、記録材料の長さが異なる場合でも、全ての記録材料を円滑に後端側からバケットへ落下させることができる。
【手続補正１２】
【補正対象書類名】明細書
【補正対象項目名】００２１
【補正方法】変更
【補正の内容】
【００２１】
請求項6に記載の発明は、前記受部材は、前記バケットに備えることを特徴とする請求項１乃至請求項5のいずれか１項に記載の画像記録装置である。
【手続補正１３】
【補正対象書類名】明細書
【補正対象項目名】００２２
【補正方法】変更
【補正の内容】
【００２２】
この請求項6に記載の発明によれば、受部材をバケットに備えることで、装置本体側には特別な加工を施す必要がなく、装置本体の製作コストを抑えることができる。
【手続補正１４】
【補正対象書類名】明細書
【補正対象項目名】００２３
【補正方法】変更
【補正の内容】
【００２３】
請求項7に記載の発明は、前記受部材は、前記装置本体の側壁に備えることを特徴とする請求項１乃至請求項5のいずれか１項に記載の画像記録装置である。
【手続補正１５】
【補正対象書類名】明細書
【補正対象項目名】００２４
【補正方法】変更
【補正の内容】
【００２４】
この請求項7に記載の発明によれば、受部材を装置本体の側壁に備えることで、装置本体の位置調整を行なっても、出口と受部材との距離を常に一定にすることができる。
【手続補正１６】
【補正対象書類名】明細書
【補正対象項目名】００２５
【補正方法】変更
【補正の内容】
【００２５】
請求項8に記載の発明は、前記受部材と前記装置本体の出口との間に、落下する前記記録材料の落下方向を変化させる規制部材を配置したことを特徴とする請求項１乃至請求項7のいずれか１項に記載の画像記録装置である。
【手続補正１７】
【補正対象書類名】明細書
【補正対象項目名】００２６
【補正方法】変更
【補正の内容】
【００２６】
この請求項8に記載の発明によれば、装置本体の出口から落下する記録材料の落下方向を変化させることで、円滑に記録材料の先端側を受部材に受けさせ、後端側からバケットへ落下させることができる。
【手続補正１８】
【補正対象書類名】明細書
【補正対象項目名】００２７
【補正方法】変更
【補正の内容】
【００２７】
請求項9に記載の発明は、前記バケットの前記受部材の上部開放端に対向する壁が、前記受部材の上部開放端より上方に位置することを特徴とする請求項１乃至請求項8のいずれか１項に記載の画像記録装置である。
【手続補正１９】
【補正対象書類名】明細書
【補正対象項目名】００２８
【補正方法】変更
【補正の内容】
【００２８】
この請求項9に記載の発明によれば、バケットの壁が受部材の上部開放端より上方に位置することで、落下する記録材料がバケットの壁に接触することがあっても滑り落ち、乗り上げたり、折れ曲がることをなくすことができる。
【手続補正２０】
【補正対象書類名】明細書
【補正対象項目名】００２９
【補正方法】変更
【補正の内容】
【００２９】
請求項１0に記載の発明は、前記バケットを前記装置本体の側壁に備えることを特徴とする請求項１乃至請求項9のいずれか１項に記載の画像記録装置である。
【手続補正２１】
【補正対象書類名】明細書
【補正対象項目名】００３０
【補正方法】変更
【補正の内容】
【００３０】
この請求項１0に記載の発明によれば、バケットを装置本体の側壁に備えることで、装置本体の位置調整を行なっても、出口とバケットとの距離を常に一定にすることができる。
【手続補正２２】
【補正対象書類名】明細書
【補正対象項目名】００３１
【補正方法】変更
【補正の内容】
【００３１】
請求項１1に記載の発明は、前記記録材料の厚さが、７０μｍ〜２００μｍであることを特徴とする請求項１乃至請求項１0のいずれか１項に記載の画像記録装置である。
【手続補正２３】
【補正対象書類名】明細書
【補正対象項目名】００３２
【補正方法】変更
【補正の内容】
【００３２】
この請求項１1に記載の発明によれば、記録材料が装置本体の出口から搬送力により押し出されて落下し、記録材料が折れたり、傷が付いたりすることがなく、バケット内に整列して集めることができる。
【手続補正２４】
【補正対象書類名】明細書
【補正対象項目名】００３３
【補正方法】変更
【補正の内容】
【００３３】
請求項１2に記載の発明は、前記記録材料は、画像記録面を上側にして搬送落下することを特徴とする請求項１乃至請求項１1のいずれか１項に記載の画像記録装置である。
【手続補正２５】
【補正対象書類名】明細書
【補正対象項目名】００３４
【補正方法】変更
【補正の内容】
【００３４】
この請求項１2に記載の発明によれば、記録材料が画像記録面を上側にして搬送落下し、画像記録面側が受部材に接触しても、傷が付いたりすることがなく、バケット内に整列して集めることが可能である。
【手続補正２６】
【補正対象書類名】明細書
【補正対象項目名】００５９
【補正方法】変更
【補正の内容】
【００５９】
【発明の効果】
前記したように、請求項１に記載の発明では、記録材料の先端側を受けて一時停止させ記録材料の後端側からバケットへ落下させることで、記録材料が装置本体の出口からの落下の高さが低くなり、記録材料が折れたり、傷が付いたりすることがなく、バケット内に整列して集めることが可能である。また、可撓性シートには弾力性があり、記録材料を傷付けることなく円滑に後端側からバケットへ落下させることができる。
【手続補正２７】
【補正対象書類名】明細書
【補正対象項目名】００６２
【補正方法】削除
【補正の内容】
【手続補正２８】
【補正対象書類名】明細書
【補正対象項目名】００６３
【補正方法】削除
【補正の内容】
【手続補正２９】
【補正対象書類名】明細書
【補正対象項目名】００６４
【補正方法】変更
【補正の内容】
【００６４】
請求項4に記載の発明では、ガイド板の長さが最短の記録材料の長さの半分未満であることで、最短長さの記録材料においても記録材料の中心位置がガイド板の外側にあるため記録材料の先端側が受部材に残留することなくバケットへ落下させることができる。
【手続補正３０】
【補正対象書類名】明細書
【補正対象項目名】００６５
【補正方法】変更
【補正の内容】
【００６５】
請求項5に記載の発明では、受部材の底部と装置本体の出口との距離が最短の記録材料より短いことで、記録材料の長さが異なる場合でも、全ての記録材料を円滑に後端側からバケットへ落下させることができる。
【手続補正３１】
【補正対象書類名】明細書
【補正対象項目名】００６６
【補正方法】変更
【補正の内容】
【００６６】
請求項6に記載の発明では、受部材をバケットに備えることで、装置本体側には特別な加工を施す必要がなく、装置本体の製作コストを抑えることができる。
【手続補正３２】
【補正対象書類名】明細書
【補正対象項目名】００６７
【補正方法】変更
【補正の内容】
【００６７】
請求項7に記載の発明では、受部材を装置本体の側壁に備えることで、装置本体の位置調整を行なっても、出口と受部材との距離を常に一定にすることができる。
【手続補正３３】
【補正対象書類名】明細書
【補正対象項目名】００６８
【補正方法】変更
【補正の内容】
【００６８】
請求項8に記載の発明では、装置本体の出口から落下する記録材料の落下方向を変化させることで、円滑に記録材料の先端側を受部材に受けさせ、後端側からバケットへ落下させることができる。
【手続補正３４】
【補正対象書類名】明細書
【補正対象項目名】００６９
【補正方法】変更
【補正の内容】
【００６９】
請求項9に記載の発明では、バケットの壁が受部材の上部開放端より上方に位置することで、落下する記録材料がバケットの壁に接触することがあっても滑り落ち、乗り上げたり、折れ曲がることをなくすことができる。
【手続補正３５】
【補正対象書類名】明細書
【補正対象項目名】００７０
【補正方法】変更
【補正の内容】
【００７０】
請求項10に記載の発明では、バケットを装置本体の側壁に備えることで、装置本体の位置調整を行なっても、出口とバケットとの距離を常に一定にすることができる。
【手続補正３６】
【補正対象書類名】明細書
【補正対象項目名】００７１
【補正方法】変更
【補正の内容】
【００７１】
請求項１1に記載の発明では、記録材料が装置本体の出口から搬送力により押し出されて落下し、記録材料が折れたり、傷が付いたりすることがなく、バケット内に整列して集めることができる。
【手続補正３７】
【補正対象書類名】明細書
【補正対象項目名】００７２
【補正方法】変更
【補正の内容】
【００７２】
請求項12に記載の発明では、記録材料が画像記録面を上側にして搬送落下し、画像記録面側が受部材に接触しても、傷が付いたりすることがなく、バケット内に整列して集めることが可能である。